(57)【要約】【課題】従来では、搬送風と搬送対象物とを上下に分離するので、所定高さの円筒が必要になり、装置が大型化するという課題がある。【解決手段】送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６内に設けられ前記搬送用筒６の内径を細くして搬送風の風速を速くする誘導体８とを有して構成した搬送装置。【選択図】図１
2017077518.tif 000002
【特許請求の範囲】
【請求項１】
送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６内に設けられ前記搬送用筒６の内径を細くして搬送風の風速を速くする誘導体８とを有して構成した搬送装置。
【請求項２】
送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６と、前記開口部４の搬送下手側に設けた前記送風筒１の一部を構成する搬送物減速筒７と、前記開口部４の臨む搬送用筒６内の前記開口部４の臨む位置に設けられ前記搬送用筒６の内径を細くして送風筒１の一部を小径部１１に構成する誘導体８とを有して構成した搬送装置。
【請求項３】
請求項１または請求項２において、前記誘導体８は、誘導体８の長さ方向の一方がわ面は搬送用筒６の内面に合わせた円弧部１４に形成し、誘導体８の長さ方向の他方がわ面は搬送用筒６の上手側が搬送用筒６の内面に近く、前記開口部４に近づくに従い搬送用筒６の軸心に近づくように傾斜させた傾斜面１５に形成した搬送装置。
【請求項４】
請求項１または請求項２または請求項３において、前記誘導体８は搬送用筒６に該搬送用筒６の軸心方向に移動自在に取付け、誘導体８の先端と開口部４との位置関係を調節可能に構成した搬送装置。
【請求項５】
請求項１または請求項２または請求項３または請求項４において、前記開口部４の搬送下手側に前記送風筒１の一部を構成する搬送物減速筒７を設け、該搬送物減速筒７の終端には前記排出機構１０に搬送対象物Ｔを誘導する誘導管９を設け、前記小径部１１は前記誘導体８の先端と前記搬送用筒６の内周面との間に形成され、小径部１１の内径と小径部１１を流れる風量との相対関係により前記搬送物減速筒７の長さおよび内径の大きさを、前記小径部１１から前記誘導管９まで搬送対象物Ｔが移動しうる所定長さに設定した搬送装置。
【請求項６】
請求項１または請求項２または請求項３または請求項４または請求項５において、前記誘導体８は、該誘導体８の先端が前記搬送用筒６の内径に対して占める断面積の相違するものを複数用意し、前記搬送用筒６内の風量によって選択的に取付可能な構成とした搬送装置。
【請求項７】
送風筒１の内部を流れる搬送風により搬送対象物Ｔを、送風筒１の中間所定位置に設けた開口部４の手前まで搬送し、開口部４の手前の送風筒１内に設けた誘導体８により内径が細く絞られた搬送物分離部３の小径部１１にて搬送風の風速を加速して搬送対象物Ｔの搬送速度を加速し、加速された搬送対象物Ｔは小径部１１の先端から前記開口部４を慣性力により通過させると共に開口部より下手側の搬送物減速筒７内に移動させ、一方、搬送風は、前記搬送物減速筒７の下手側に設けた空気の出入りの遮断および搬送対象物Ｔの排出を行う排出機構１０により、搬送物減速筒７内から前記開口部４に向けて戻りつつ前記開口部４に接続した風分岐管５に流れて、搬送対象物Ｔと搬送風とを分離させる分離方法。
【発明の詳細な説明】
【技術分野】
【０００１】
本発明は、飼料、そば、大豆、あずき、米麦等の搬送対象物を搬送風により搬送する搬送装置において、搬送対象物を搬送風から分離させる分離装置および分離方法に係るものである。
【背景技術】
【０００２】
従来、送風装置に接続して搬送風により搬送する搬送対象物を搬送風から分離させるサイクロンの構成は、公知である（特許文献１）。
このサイクロンは、縦に長い円筒に横から搬送対象物と搬送風を供給し、円筒内に渦流を発生させて搬送風を減衰させ、搬送風は上に排気し、搬送対象物を下方に落下させる構成である。
【先行技術文献】
【特許文献】
【０００３】
【特許文献１】特開２００３−１１４４号公報
【発明の概要】
【発明が解決しようとする課題】
【０００４】
前記公知例では、搬送風と搬送対象物とを上下に分離するので、所定高さの円筒が必要になり、装置が大型化するという課題がある。
また、サイクロンは、単に、搬送対象物を分離させるだけの機能しかなく、分離させただけで作業が完結してしまうので、分離した搬送対象物を、次工程に供給するために、別途、搬送装置が必要となる。
また、サイクロンは、搬送風と搬送対象物とを渦流により分離するので、搬送対象物がサイクロンの内面に摺接して損傷するという課題もある。
本願は、搬送対象物を分離する分離装置の上下方向の小型化と、搬送対象物の損傷の抑制化とを図ったものである。
【課題を解決するための手段】
【０００５】
請求項１の発明は、送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６内に設けられ前記搬送用筒６の内径を細くして搬送風の風速を速くする誘導体８とを有して構成した搬送装置としたものである。
請求項２の発明は、送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６と、前記開口部４の搬送下手側に設けた前記送風筒１の一部を構成する搬送物減速筒７と、前記開口部４の臨む搬送用筒６内の前記開口部４の臨む位置に設けられ前記搬送用筒６の内径を細くして送風筒１の一部を小径部１１に構成する誘導体８とを有して構成した搬送装置としたものである。
請求項３の発明は、前記誘導体８は、誘導体８の長さ方向の一方がわ面は搬送用筒６の内面に合わせた円弧部１４に形成し、誘導体８の長さ方向の他方がわ面は搬送用筒６の上手側が搬送用筒６の内面に近く、前記開口部４に近づくに従い搬送用筒６の軸心に近づくように傾斜させた傾斜面１５に形成した搬送装置としたものである。
請求項４の発明は、前記誘導体８は搬送用筒６に該搬送用筒６の軸心方向に移動自在に取付け、誘導体８の先端と開口部４との位置関係を調節可能に構成した搬送装置としたものである。
請求項５の発明は、前記開口部４の搬送下手側に前記送風筒１の一部を構成する搬送物減速筒７を設け、該搬送物減速筒７の終端には前記排出機構１０に搬送対象物Ｔを誘導する誘導管９を設け、前記小径部１１は前記誘導体８の先端と前記搬送用筒６の内周面との間に形成され、小径部１１の内径と小径部１１を流れる風量との相対関係により前記搬送物減速筒７の長さおよび内径の大きさを、前記小径部１１から前記誘導管９まで搬送対象物Ｔが移動しうる所定長さに設定した搬送装置としたものである。
請求項６の発明は、前記誘導体８は、該誘導体８の先端が前記搬送用筒６の内径に対して占める断面積の相違するものを複数用意し、前記搬送用筒６内の風量によって選択的に取付可能な構成とした搬送装置としたものである。
請求項７の発明は、送風筒１の内部を流れる搬送風により搬送対象物Ｔを、送風筒１の中間所定位置に設けた開口部４の手前まで搬送し、開口部４の手前の送風筒１内に設けた誘導体８により内径が細く絞られた搬送物分離部３の小径部１１にて搬送風の風速を加速して搬送対象物Ｔの搬送速度を加速し、加速された搬送対象物Ｔは小径部１１の先端から前記開口部４を慣性力により通過させると共に開口部より下手側の搬送物減速筒７内に移動させ、一方、搬送風は、前記搬送物減速筒７の下手側に設けた空気の出入りの遮断および搬送対象物Ｔの排出を行う排出機構１０により、搬送物減速筒７内から前記開口部４に向けて戻りつつ前記開口部４に接続した風分岐管５に流れて、搬送対象物Ｔと搬送風とを分離させる分離方法としたものである。
【発明の効果】
【０００６】
請求項１の発明では、送風筒１の中間所定位置に誘導体８と風分岐管５とを設けるだけで、送風筒１の中間位置に搬送対象物Ｔを搬送風から分離する搬送物分離部３を設けることができ、それゆえ、別途搬送手段を設けることなく、搬送風から分離させた搬送対象物Ｔを搬送でき、また、慣性を利用して搬送風と分離するので、搬送対象物Ｔの損傷を防止でき、さらに、搬送物分離部３の構成を簡素にして設置の設計自由度を向上させることができる。
請求項２の発明は、送風筒１を、開口部４の搬送上手側の搬送用筒６と、開口部４の搬送下手側の搬送物減速筒７とを有して構成し、搬送用筒６と搬送物減速筒７との間に搬送物分離部３を設けているので、搬送物分離部３の構成を簡素にできる。
請求項３の発明では、誘導体８は開口部４に近づくに従い搬送用筒６の軸心に近づくように傾斜させた傾斜面１５を有するので、誘導体８は搬送対象物Ｔの搬送速度を加速させるだけでなく、傾斜面１５により搬送対象物Ｔが開口部４（風分岐管５）の対面側（反対側）を移動するように誘導して、搬送対象物Ｔと搬送風との分離を一層良好にすることができる。
請求項４の発明では、誘導体８を送風筒１の軸心方向に沿って移動させることにより、搬送対象物Ｔと搬送風との分離を一層良好にすることができる。
請求項５の発明では、慣性を利用して搬送対象物Ｔを誘導管９まで確実に移動させることができるので、詰まり発生を防止できる。
請求項６の発明では、誘導体８を、搬送用筒６内の風量によって、搬送用筒６の内径に対して占める断面積の相違するものを選択して取付可能なので、搬送対象物Ｔと搬送風との分離を一層良好にすることができる。
請求項７の発明では、送風筒１の内部で搬送対象物Ｔと搬送風との分離を行うことができ、構成を簡素にした小型の搬送物分離部３を有する搬送装置を提供することができ、搬送装置の設置の設計自由度を向上させることができる。
【図面の簡単な説明】
【０００７】
【図１】搬送装置に搬送物分離部を設けた側面図。
【図２】同一部拡大断面図。
【図３】誘導体の斜視図。
【図４】搬送物分離部の他の実施形態の概略図。
【図５】搬送物分離部の他の実施形態の概略図。
【発明を実施するための形態】
【０００８】
本発明の一実施形態を図面により説明すると、１は、飼料、そば、大豆、あずき、米麦等の搬送対象物Ｔを搬送する搬送装置Ｈの搬送風路（通路）を構成する送風筒であり、送風筒１の端部には送風装置（図示省略）を接続する。
送風装置は公知のものであり、ファン（図示省略）を回転させて、送風装置の一方側から空気を吸引して他方に排気するように構成し、送風装置の吸気口（図示省略）または排気口（図示省略）には、前記送風筒１の一端を接続し、送風筒１内に吸引風あるいは圧風の搬送風が流れる搬送風路を形成する。
なお、理解を容易にするために、上下左右等の方向を用いて構成を説明することがあるが、これにより、本発明の構成が限定されることはない。
【０００９】
送風筒１は搬送方向の上手側から下手側へ流れる搬送風により搬送対象物Ｔを搬送し、送風筒１の中間所定位置には搬送対象物Ｔを搬送風から分離する搬送物分離部３を設ける。
搬送物分離部３は、送風筒１の中間所定位置に開口部４を設け（図２）、開口部４には風分岐管５の基部を接続し、この開口部４の搬送上手側の送風筒１を搬送用筒６とし、開口部４の搬送下手側の送風筒１を搬送物減速筒７とする。
開口部４の臨む搬送用筒６内には搬送用筒６の内径を細く絞る誘導体８を設け、搬送物減速筒７の終端には搬送対象物Ｔが自然落下する誘導管９を接続し、誘導管９の終端には空気の出入りを遮断しつつ搬送対象物Ｔを排出（繰り出す）する排出機構１０を設けて、搬送物分離部３を構成している。
【００１０】
搬送物分離部３は、図２に示したように、搬送用筒６の誘導体８の基部までは一定速により搬送対象物Ｔを搬送する通常搬送範囲とし、誘導体８の基部から誘導体８の先端までは、搬送用筒６の内径が狭くなる小径部１１を形成してこの小径部１１より搬送風の流速を早くして搬送対象物Ｔの搬送速度を加速する加速範囲とし、加速範囲で搬送対象物Ｔの慣性力を増加させることにより開口部４を通過させて搬送風と搬送対象物Ｔとを分離させる。
次に、誘導体８の先端から搬送物減速筒７は減速範囲とし、減速範囲では搬送物減速筒７の下手側を排出機構１０により塞いで行き場を失った搬送風が開口部４に戻って風分岐管５に流れることから、開口部４を通過した搬送対象物Ｔを開口部４に戻る戻り風により減速させながら下手側移動させる。
【００１１】
即ち、図２に示すように、誘導体８を通過した搬送風は搬送物減速筒７および誘導管９が排出機構１０により閉塞されているので、減速範囲では搬送物減速筒７内に誘導体８の先端下方を流れる正方向の搬送風と、排出機構１０により遮断されて行き場を失って開口部４へ向けて戻る搬送物減速筒７内の上方を逆方向に流れる戻り風とが、上下二層になって互いに反対方向に流れ、空気の粘性剪断力により搬送対象物Ｔの搬送速度に抵抗を与え、減速させる。
そのため、搬送物分離部３にて搬送風と搬送対象物Ｔとが分離されると共に搬送対象物Ｔを移動速度を減速させることになる。
【００１２】
換言すると、誘導体８のある加速範囲までは、風速が搬送速度より早いが、減速範囲では空気の粘性剪断力によって風分岐管５と搬送物減速筒７では搬送速度が風速より早くなって逆転し、空気と搬送対象物Ｔとを分離させつつ搬送対象物Ｔの移動速度を減速させる。
したがって、前記小径部１１の径と小径部１１を流れる風量との相対関係により搬送対象物Ｔが移動しうる距離が決定されることになり、この相対関係により搬送物減速筒７の内径および長さを、小径部１１から誘導管９まで搬送対象物Ｔが移動しうる所定長さに設定すればよい。
【００１３】
例えば、搬送条件により搬送用筒６内の風量が多くなったときには、誘導体８の搬送用筒６の内径に対して占める断面積を大きくすることにより小径部１１の径を小さくして風速を早くさせると共に、搬送物減速筒７の内径を大きくするか、または、長さを長くする。
反対に、搬送条件により搬送用筒６内の風量が少なくなったときには、誘導体８の搬送用筒６の内径に対して占める断面積を小さくすることにより小径部１１の径を大きくして、風速を一定速度に保ちながら、搬送物減速筒７の内径は搬送用筒６と同じとするか、または、長さを短くする。
【００１４】
また、開口部４と誘導管９との間の搬送物減速筒７の長さは、誘導体８の、搬送用筒６の内径に対して占める断面積と風量の関係で相対的に決まる搬送対象物Ｔの移動距離に基づいて、この移動距離よりも若干短く搬送物減速筒７の長さに設定することにより、搬送対象物Ｔの移動速度を減速しながら、詰まり発生を防止できて、好適である。
前記誘導体８は、前記搬送用筒６の内径に対して占める断面積の相違するものを複数用意し、前記搬送用筒６内の風量によって選択的に取付可能な構成とし、誘導体８を交換することにより、搬送対象物Ｔが搬送風と分離すると共に誘導管９まで確実に移動できるようにして詰まり発生を防止しでき、好適である。
【００１５】
また、誘導管９では、搬送対象物Ｔの移動の慣性力が無くなっているので、搬送対象物Ｔを円滑に移動させるため、誘導管９は垂直または安息角を越えた傾斜するように配置する。
また、排出機構１０は空気を漏らさずに搬送対象物Ｔを繰り出せる所謂ロータリーバルブや、あるいは、二連のシャッタを交互に開閉させて搬送対象物Ｔを繰り出せるようにするとよく、搬送用筒６による搬送対象物Ｔの搬送量と同量かそれ以上の排出量となるように設定する。
【００１６】
排出機構１０の下手側には次工程の装置を設けるが、本願の要件ではないので、詳細は省略するが、例えば、玄米を搬送している場合には排出機構１０の下手側には精米装置を配置し、白米を搬送したときには炊飯装置を配置する。
しかして、図１では、理解を容易にするため、誘導体８を開口部４および風分岐管５を送風筒１の上側に位置させて図示しており、誘導体８の形状は、この図１に基づいて上下の方向を示して以下説明するが、これにより、本発明の構成は限定されない。
【００１７】
誘導体８の形状は、誘導体８の搬送方向の上手側に対して誘導体８を設けた小径部１１の内径を狭く絞るような形状であれば、形状は任意であり、一例を示すと、誘導体８の上面（開口部４側）は搬送用筒６の内面に合わせた円弧部１４に形成し（図３）、下面（反開口部４側）は側面視において搬送用筒６の手前（搬送方向上手側）が搬送用筒６の上側内面に近く、開口部４に近づくに従い搬送用筒６の軸心に近づくように傾斜させた傾斜面１５に形成する。
即ち、傾斜面１５は、開口部４に近づくに従い開口部４から離れる方向に傾斜させる。
【００１８】
そのため、誘導体８は送風筒１の内径を細く絞ると共に、搬送対象物Ｔが風分岐管５の反対側を移動するように誘導させる作用も期待し、搬送対象物Ｔと搬送風との分離を良好にする。
また、誘導体８の先端位置は、開口部４の搬送物減速筒７側に臨ませると、一層、搬送対象物Ｔの移動方向の誘導と風分岐管５への搬送対象物Ｔの進入防止作用を向上させられる。
誘導体８は搬送用筒６に取付軸１６により取付ける。取付軸１６は搬送用筒６に設けた長孔１７に挿入して送風筒１の軸心方向に移動自在とし、誘導体８のの先端と開口部４との位置関係を調節可能に構成する。
【００１９】
そのため、搬送対象物Ｔの風分岐管５への侵入を防止する。
また、本例の送風筒１は、搬送用筒６と搬送物減速筒７とを直線状に配置し、搬送用筒６から搬送物減速筒７への搬送対象物Ｔの進入を円滑かつ確実性を向上させている。
しかして、送風筒１を吸引風により搬送対象物Ｔを搬送する場合、排出機構１０で空気の侵入を完全に遮断することはできないので、侵入した空気が搬送物減速筒７内の搬送風の流れに悪影響を与えることがある。
そこで、誘導管９にバイパス筒２０を接続し、空気を逃がす構成としている。
２１はバイパス筒２０に設けたバルブである。
【００２０】
また、バイパス筒２０を設けずに、搬送物減速筒７を所定径より大径に形成しても、良い。
また、風分岐管５は送風筒１の開口部４に接続すればよいので、風分岐管５の長さ方向の向きは任意であり、図１のように搬送用筒６および搬送物減速筒７に対して風分岐管５を直交させて設けるほかに、図４、図５のように搬送用筒６および搬送物減速筒７に対して斜めに設けてもよい。
また、風分岐管５の先端側の高さは、基部の設置高さに対して上下（高低）の何れの方向でもよい。
【００２１】
（実施形態の作用）
本発明は上記構成であり、送風装置を始動し、送風筒１に搬送対象物Ｔを供給すると、送風筒１は搬送方向の上手側から下手側へ流れる搬送風により搬送対象物Ｔを搬送する。
送風筒１の中間所定位置には搬送対象物Ｔを搬送風から分離する搬送物分離部３を設けているので、送風筒１により搬送される搬送対象物Ｔは、搬送物分離部３にて搬送風から分離させられて搬送先に至る。
【００２２】
搬送物分離部３は、送風筒１の中間所定位置に風分岐管５の基部を接続した開口部４を設け、開口部４の搬送上手側の送風筒１を搬送用筒６とし、開口部４の搬送下手側の送風筒１を搬送物減速筒７に形成し、開口部４の臨む搬送用筒６内には内径を細く絞る誘導体８を設け、搬送物減速筒７の下手側には空気を遮断して搬送対象物Ｔを排出する排出機構１０を設けて構成しているので、搬送対象物Ｔは、誘導体８を設けた送風筒１の小径部１１まで搬送対象物Ｔは一定速により搬送され、誘導体８により内径を細くした小径部１１にて搬送風の流速を早くして搬送対象物Ｔの搬送速度を加速し、搬送物減速筒７内に進入して搬送対象物Ｔは慣性力により更に移動する。
【００２３】
一方、図２に示すように、搬送物減速筒７および誘導管９が排出機構１０により閉塞されているので、誘導体８を通過した搬送風は、一旦、誘導体８の下方からそのまま搬送物減速筒７内の下層を流れるが、排出機構１０により遮断されて行き場のない空気は搬送物減速筒７内の上層を通って風分岐管５に戻る戻り風となる。
したがって、搬送物減速筒７内の下層の搬送風と上層の戻り風の二層になって互いに反対方向に流れ、下層の搬送風は次第に減速するので、搬送対象物Ｔは搬送風から分離して慣性で搬送物減速筒７内を移動することで、搬送風と搬送対象物Ｔとが分離される。
【００２４】
さらに、搬送物減速筒７内の上層の戻り風により搬送風と搬送対象物Ｔとを分離すると共に、搬送物減速筒７内における空気の粘性剪断力により搬送対象物Ｔの移動速度に抵抗を与え、減速させる。
搬送物減速筒７内にて減速された搬送対象物Ｔは誘導管９に入り、排出機構１０により排出される。
それゆえ、搬送物分離部３は、送風筒１の途中に開口部４を設け、開口部４に風分岐管５の基部を接続し、開口部４の送風筒１に誘導体８を設け、開口部４より下手側の搬送物減速筒７の下手側に排出機構１０を設けるだけで構成でき、頗る簡素に構成できる。
【００２５】
即ち、送風筒１としての搬送用筒６と搬送物減速筒７と風分岐管５は従来より存在し、また、搬送物減速筒７の下手側に設ける排出機構１０も特別な構成のものは不要でありながら、送風筒１の開口部４に誘導体８を設けて風分岐管５と搬送物減速筒７を適切に配置するだけで搬送物分離部３を構成できるので、安価にしかも従来の送風筒１の途中分に設置可能なり、設置箇所をの選択の自由度を向上させられる。
また、誘導体８の先端を通過した搬送対象物Ｔの移動距離は、誘導体８の、搬送用筒６の内径に対して占める断面積と風量の関係で決定されるので、これにより想定される搬送対象物Ｔの移動距離に基づいて、この移動距離よりも若干短く搬送物減速筒７の長さを設定すると、搬送対象物Ｔの移動速度を減速しながら、詰まり発生を防止できて、好適である。
【００２６】
前記誘導体８は、前記搬送用筒６の内径に対して占める断面積の相違するものを複数用意し、前記搬送用筒６内の風量によって選択的に取付可能な構成としているので、誘導体８を交換することにより、搬送対象物Ｔの移動距離を確保して詰まり発生を防止できて、好適である。
また、誘導管９は垂直または安息角を越える傾斜させて配置しているので、搬送物減速筒７にて搬送対象物Ｔを移動させるための慣性力が減衰しても、誘導管９に至たると誘導管９により排出機構１０に確実に供給され、詰まり発生を防止できる。
【００２７】
また、搬送対象物Ｔは、搬送物分離部３で搬送風から分離されて慣性により誘導管９に至るので、搬送対象物Ｔは移動速度が減速されて、搬送物減速筒７と誘導管９との接続部分の内面に衝突するのが防止され、搬送対象物Ｔの損傷を抑制する。
また、排出機構１０は搬送用筒６による搬送対象物Ｔの搬送量と同量かそれ以上の排出量となるように設定しているので、詰まり発生を防止できる。
【００２８】
しかして、誘導体８の形状は任意であるが、本実施形態では、誘導体８の上面（開口部４側）は搬送用筒６の内面に合わせた円弧部１４に形成し、下面（反開口部４側）は側面視において搬送用筒６の手前（搬送方向上手側）が搬送用筒６の上側内面に近く、開口部４に近づくに従い搬送用筒６の軸心に近づくように傾斜させた傾斜面１５に形成しているので、開口部４に近づくに従い搬送用筒６の内径を狭くできて搬送対象物Ｔの搬送速度を加速させ、さらに、誘導体８の傾斜面１５により搬送対象物Ｔが風分岐管５の反対側を移動するように誘導させ、搬送対象物Ｔと搬送風との分離を良好にする。
【００２９】
また、誘導体８の先端位置は、開口部４の搬送物減速筒７側に臨ませているので、一層、搬送対象物Ｔの移動方向の誘導と風分岐管５への搬送対象物Ｔの進入防止作用を向上させる。
また、本例の送風筒１は、搬送用筒６と搬送物減速筒７とを直線状に配置し、搬送用筒６から搬送物減速筒７への搬送対象物Ｔの進入を円滑かつ確実性を向上させている。
【００３０】
なお、上記実施形態の説明において、理解を容易にするため、上下左右等の方向を記載しているが、便宜上のものであり、こられの記載によって構成は限定されない。
例えば、誘導体８の設置方向は、風分岐管５の軸心方向により変化し、円弧部１４は必ずしも誘導体８の上面に形成されずに側面あるいは下面に形成されることもある。
【符号の説明】
【００３１】
１…送風筒、３…搬送物分離部、４…開口部、５…風分岐管、６…搬送用筒、７…搬送物減速筒、８…誘導体、９…誘導管、１０…排出機構、１１…小径部、１４…円弧部、１５…傾斜面、１６…取付軸、１７…長孔、２０…バイパス筒、２１…バルブ。
【図１】
2017077518.tif 000003
【図２】
2017077518.tif 000004
【図３】
2017077518.tif 000005
【図４】
2017077518.tif 000006
【図５】
2017077518.tif 000007
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６内に設けられ前記搬送用筒６の内径を細くして搬送風の風速を速くする誘導体８とを有して構成した搬送装置。
【請求項２】
送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６と、前記開口部４の搬送下手側に設けた前記送風筒１の一部を構成する搬送物減速筒７と、前記搬送用筒６内の前記開口部４の臨む位置に設けられ前記搬送用筒６の内径を細くして送風筒１の一部を小径部１１に構成する誘導体８とを有して構成した搬送装置。
【請求項３】
請求項１または請求項２において、前記誘導体８は、誘導体８の長さ方向の一方がわ面は搬送用筒６の内面に合わせた円弧部１４に形成し、誘導体８の長さ方向の他方がわ面は搬送用筒６の上手側が搬送用筒６の内面に近く、前記開口部４に近づくに従い搬送用筒６の軸心に近づくように傾斜させた傾斜面１５に形成した搬送装置。
【請求項４】
請求項１または請求項２または請求項３において、前記誘導体８は搬送用筒６に該搬送用筒６の長手方向に移動自在に取付け、誘導体８の先端と開口部４との位置関係を調節可能に構成した搬送装置。
【請求項５】
請求項１または請求項２または請求項３または請求項４において、前記開口部４の搬送下手側に前記送風筒１の一部を構成する搬送物減速筒７を設け、該搬送物減速筒７の終端には前記排出機構１０に搬送対象物Ｔを誘導する誘導管９を設け、前記搬送用筒６内の前記開口部４の臨む位置に誘導体８を設けて前記搬送用筒６の内径を細くして送風筒１の一部を小径部１１に形成し、該小径部１１は前記誘導体８の先端と前記搬送用筒６の内周面との間に形成され、小径部１１の内径と小径部１１を流れる風量との相対関係により前記搬送物減速筒７の長さおよび内径の大きさを、前記小径部１１から前記誘導管９まで搬送対象物Ｔが移動しうる所定長さに設定した搬送装置。
【請求項６】
請求項１または請求項２または請求項３または請求項４または請求項５において、前記誘導体８は、該誘導体８の先端が前記搬送用筒６の内径に対して占める断面積の相違するものを複数用意し、前記搬送用筒６内の風量によって選択的に取付可能な構成とした搬送装置。
【請求項７】
送風筒１の内部を流れる搬送風により搬送対象物Ｔを、送風筒１の中間所定位置に設けた開口部４の手前まで搬送し、開口部４の手前の送風筒１内に設けた誘導体８により内径が細く絞られた搬送物分離部３の小径部１１にて搬送風の風速を加速して搬送対象物Ｔの搬送速度を加速し、加速された搬送対象物Ｔは小径部１１の先端から前記開口部４を慣性力により通過させると共に開口部より下手側の搬送物減速筒７内に移動させ、一方、搬送風は、前記搬送物減速筒７の下手側に設けた空気の出入りの遮断および搬送対象物Ｔの排出を行う排出機構１０により、搬送物減速筒７内から前記開口部４に向けて戻りつつ前記開口部４に接続した風分岐管５に流れて、搬送対象物Ｔと搬送風とを分離させる分離方法。
【手続補正２】
【補正対象書類名】明細書
【補正対象項目名】０００５
【補正方法】変更
【補正の内容】
【０００５】
請求項１の発明は、送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６内に設けられ前記搬送用筒６の内径を細くして搬送風の風速を速くする誘導体８とを有して構成した搬送装置としたものである。
請求項２の発明は、送風装置２からの搬送風が流れ送風下手側に空気の出入りの遮断および搬送対象物Ｔの排出を行う排出機構１０を設けた送風筒１の中間所定位置には、搬送対象物Ｔを搬送風から分離する搬送物分離部３を設け、該搬送物分離部３は、前記送風筒１の中間所定位置に設けた開口部４に接続した風分岐管５と、前記開口部４の搬送上手側の送風筒１の一部を構成する搬送用筒６と、前記開口部４の搬送下手側に設けた前記送風筒１の一部を構成する搬送物減速筒７と、前記搬送用筒６内の前記開口部４の臨む位置に設けられ前記搬送用筒６の内径を細くして送風筒１の一部を小径部１１に構成する誘導体８とを有して構成した搬送装置としたものである。
請求項３の発明は、前記誘導体８は、誘導体８の長さ方向の一方がわ面は搬送用筒６の内面に合わせた円弧部１４に形成し、誘導体８の長さ方向の他方がわ面は搬送用筒６の上手側が搬送用筒６の内面に近く、前記開口部４に近づくに従い搬送用筒６の軸心に近づくように傾斜させた傾斜面１５に形成した搬送装置としたものである。
請求項４の発明は、前記誘導体８は搬送用筒６に該搬送用筒６の長手方向に移動自在に取付け、誘導体８の先端と開口部４との位置関係を調節可能に構成した搬送装置としたものである。
請求項５の発明は、前記開口部４の搬送下手側に前記送風筒１の一部を構成する搬送物減速筒７を設け、該搬送物減速筒７の終端には前記排出機構１０に搬送対象物Ｔを誘導する誘導管９を設け、前記搬送用筒６内の前記開口部４の臨む位置に誘導体８を設けて前記搬送用筒６の内径を細くして送風筒１の一部を小径部１１に形成し、該小径部１１は前記誘導体８の先端と前記搬送用筒６の内周面との間に形成され、小径部１１の内径と小径部１１を流れる風量との相対関係により前記搬送物減速筒７の長さおよび内径の大きさを、前記小径部１１から前記誘導管９まで搬送対象物Ｔが移動しうる所定長さに設定した搬送装置としたものである。
請求項６の発明は、前記誘導体８は、該誘導体８の先端が前記搬送用筒６の内径に対して占める断面積の相違するものを複数用意し、前記搬送用筒６内の風量によって選択的に取付可能な構成とした搬送装置としたものである。
請求項７の発明は、送風筒１の内部を流れる搬送風により搬送対象物Ｔを、送風筒１の中間所定位置に設けた開口部４の手前まで搬送し、開口部４の手前の送風筒１内に設けた誘導体８により内径が細く絞られた搬送物分離部３の小径部１１にて搬送風の風速を加速して搬送対象物Ｔの搬送速度を加速し、加速された搬送対象物Ｔは小径部１１の先端から前記開口部４を慣性力により通過させると共に開口部より下手側の搬送物減速筒７内に移動させ、一方、搬送風は、前記搬送物減速筒７の下手側に設けた空気の出入りの遮断および搬送対象物Ｔの排出を行う排出機構１０により、搬送物減速筒７内から前記開口部４に向けて戻りつつ前記開口部４に接続した風分岐管５に流れて、搬送対象物Ｔと搬送風とを分離させる分離方法としたものである。